(57)【要約】【課題】  本発明はバッテリーの取付構造に係り、バッテリーの配置環境などによって起こる膨張に対応したバッテリーの取付構造を提供することを目的とする。【解決手段】  断面略コ字状に形成したバッテリー取付金具をバッテリー上に載せ、当該バッテリー取付金具の天井部の両端側に設けた切欠きまたは穴にＪボルトを入れ、当該Ｊボルトに取り付くナットの締め付けによってバッテリーをバッテリーボックスに固定するバッテリーの取付構造に於て、前記バッテリー取付金具を両端側を除き断面略コ字状に形成すると共に、当該バッテリー取付金具の両端側を裏面側へあざ折りして、バッテリーの上面に圧接可能な湾曲したあざ折り片を形成し、当該あざ折り片と前記天井部に前記切欠きまたは穴を同軸上に設けたことを特徴とする。【選択図】    図１
2011168088.tif 000002
【特許請求の範囲】
【請求項１】
断面略コ字状に形成したバッテリー取付金具をバッテリー上に載せ、当該バッテリー取付金具の天井部の両端側に設けた切欠きまたは穴にＪボルトを入れ、当該Ｊボルトに取り付くナットの締め付けによってバッテリーをバッテリーボックスに固定するバッテリーの取付構造に於て、
前記バッテリー取付金具を両端側を除き断面略コ字状に形成すると共に、当該バッテリー取付金具の両端側を裏面側へあざ折りして、バッテリーの上面に圧接可能な湾曲したあざ折り片を形成し、当該あざ折り片と前記天井部に前記切欠きまたは穴を同軸上に設けたことを特徴とするバッテリーの取付構造。
【請求項２】
断面略コ字状に形成したバッテリー取付金具をバッテリー上に載せ、当該バッテリー取付金具の天井部の両端側に設けた切欠きまたは穴にＪボルトを入れ、当該Ｊボルトに取り付くナットの締め付けによってバッテリーをバッテリーボックスに固定するバッテリーの取付構造に於て、
前記バッテリー取付金具を、断面略コ字状に形成され、天井部の中央に矩形状の係合穴が開口し、両端側に前記切欠きまたは穴が設けられた第１のバッテリー取付金具と、
第１のバッテリー取付金具の裏面側から前記係合穴に挿入可能な断面略く字状に形成され、当該挿入穴の対向する２つの周縁部に当接する弾性を持った第２のバッテリー取付金具とで構成したことを特徴とするバッテリーの取付構造。
【請求項３】
第２の前記バッテリー取付金具は、当接する前記係合穴の２つの周縁部に沿ってバッテリーの上面に圧接する押圧片が延設されて、平面視略Ｈ字状に形成されていることを特徴とする請求項２に記載のバッテリーの取付構造。
【請求項４】
断面略コ字状に形成された第１の前記バッテリー取付金具の両立壁部に、前記係合穴と連通し、第２の前記バッテリー取付金具の外形形状に沿った側面視く字状の切欠きを設けたことを特徴とする請求項２に記載のバッテリーの取付構造。
【発明の詳細な説明】
【技術分野】
【０００１】
本発明は、鉛蓄電池たるバッテリーの取付構造に係り、詳しくはバッテリーの充電時や配置環境などによって起こる膨張に対応したバッテリーの取付構造に関する。
【背景技術】
【０００２】
従来周知のように、電極に鉛を用いたバッテリー（鉛蓄電池）は自動車に広く利用されているのをはじめ、フォークリフト、ゴルフカートといった電動車用主電源の用途や、産業用として商用電源が途絶えた時のバックアップ電源の用途などに用いられており、地上デジタル放送の基地局に装備された機器類にも、この種の鉛蓄電池のバッテリーがバックアップ用に接続されている。
【０００３】
そして、従来、この種のバッテリーに関し様々な取付構造が提案されており、特許文献１には、Ｊボルトに取り付くナットの締め付けによってバッテリーを上方から押圧保持するバッテリー取付金具の変形を防止するため、断面略コ字状に形成したバッテリー取付金具の天井部の両端に切欠き及び穴を設け、当該バッテリー取付金具をバッテリー上に載せて、バッテリー取付金具の切欠き及び穴にＪボルトを掛け、当該Ｊボルトを介してバッテリーをバッテリーボックスに固定するバッテリーの取付構造に於て、前記切欠き及び穴を、バッテリー取付金具のいずれか立壁部側にオフセットさせた取付構造が開示されている。
【先行技術文献】
【特許文献】
【０００４】
【特許文献１】特開平８−５８４９４号公報
【発明の概要】
【発明が解決しようとする課題】
【０００５】
しかし、従来、この種のバッテリーは、充電時や機器内部の温度上昇などによって膨張する性質を有しているが、特許文献１の取付構造は、このようなバッテリーの膨張に対し何ら対策が施されておらず、また、従来周知のその他のバッテリーの取付構造に於ても、配置環境などによって生ずるバッテリーの膨張に対して対策が施されていないため、バッテリーを強固に締め付ける従来の取付構造によって、膨張するバッテリーの破損といった問題が指摘されていた。
【０００６】
本発明は斯かる実情に鑑み案出されたもので、バッテリーの配置環境などによって起こる膨張に対応したバッテリーの取付構造を提供することを目的とする。
【課題を解決するための手段】
【０００７】
斯かる目的を達成するため、請求項１に係る発明は、断面略コ字状に形成したバッテリー取付金具をバッテリー上に載せ、当該バッテリー取付金具の天井部の両端側に設けた切欠きまたは穴にＪボルトを入れ、当該Ｊボルトに取り付くナットの締め付けによってバッテリーをバッテリーボックスに固定するバッテリーの取付構造に於て、前記バッテリー取付金具を両端側を除き断面略コ字状に形成すると共に、当該バッテリー取付金具の両端側を裏面側へあざ折りして、バッテリーの上面に圧接可能な湾曲したあざ折り片を形成し、当該あざ折り片と前記天井部に前記切欠きまたは穴を同軸上に設けたことを特徴とする。
【０００８】
また、請求項２に係る発明は、断面略コ字状に形成したバッテリー取付金具をバッテリー上に載せ、当該バッテリー取付金具の天井部の両端側に設けた切欠きまたは穴にＪボルトを入れ、当該Ｊボルトに取り付くナットの締め付けによってバッテリーをバッテリーボックスに固定するバッテリーの取付構造に於て、前記バッテリー取付金具を、断面略コ字状に形成され、天井部の中央に矩形状の係合穴が開口し、両端側に前記切欠きまたは穴が設けられた第１のバッテリー取付金具と、第１のバッテリー取付金具の裏面側から前記係合穴に挿入可能な断面略く字状に形成され、当該挿入穴の対向する２つの周縁部に当接する弾性を持った第２のバッテリー取付金具とで構成したことを特徴とする。
【０００９】
そして、請求項３に係る発明は、請求項２に記載のバッテリーの取付構造に於て、第２の前記バッテリー取付金具は、当接する前記係合穴の２つの周縁部に沿ってバッテリーの上面に圧接する押圧片が延設されて、平面視略Ｈ字状に形成されていることを特徴とし、請求項４に係る発明は、断面略コ字状に形成された第１の前記バッテリー取付金具の両立壁部に、前記係合穴と連通し、第２の前記バッテリー取付金具の外形形状に沿った側面視く字状の切欠きを設けたことを特徴とする。
【発明の効果】
【００１０】
各請求項に係る取付構造によれば、充電時や機器内部の温度上昇などによって膨張するバッテリーを破損させることなく、長期に亘って確実にバッテリーを弾性的に保持固定することができる。
【００１１】
また、請求項２乃至請求項４に係る発明によれば、請求項１の発明に用いるバッテリー取付金具に比しバッテリー取付金具の製造が容易であり、請求項３に係る発明によれば、第２のバッテリー取付金具に設けた長尺な押圧片によって、バッテリーの上面を均一に押圧保持することが可能となる。
【００１２】
そして、請求項４に係る発明によれば、バッテリーの取付作業時に、断面略く字状に形成された第２のバッテリー取付金具の頂部を第１のバッテリー取付金具の切欠きに一致させることで第１のバッテリー取付金具の位置決めが容易に行えるため、更に作業性が良好となる利点を有する。
【図面の簡単な説明】
【００１３】
【図１】請求項１の一実施形態に係るバッテリーの取付構造の要部正面図である。
【図２】バッテリー取付金具の平面図である。
【図３】バッテリー取付金具の正面図である。
【図４】バッテリー取付金具の底面図である。
【図５】バッテリー取付金具の側面図である。
【図６】請求項２及び請求項３の一実施形態に係るバッテリーの取付構造の要部正面図である。
【図７】図６に示すバッテリーの取付構造の平面図である。
【図８】第１のバッテリー取付金具の平面図である。
【図９】第１のバッテリー取付金具の正面図である。
【図１０】第１のバッテリー取付金具の側面図である。
【図１１】第２のバッテリー取付金具の平面図である。
【図１２】第２のバッテリー取付金具の正面図である。
【図１３】第２のバッテリー取付金具の側面図である。
【図１４】請求項２及び請求項４の一実施形態に係るバッテリーの取付構造の要部正面図である。
【図１５】図１４に示すバッテリーの取付構造の平面図である。
【図１６】第１のバッテリー取付金具の平面図である。
【図１７】第１のバッテリー取付金具の正面図である。
【図１８】第２のバッテリー取付金具の平面図である。
【図１９】第２のバッテリー取付金具の正面図である。
【図２０】第２のバッテリー取付金具の側面図である。
【発明を実施するための形態】
【００１４】
以下、本発明の実施形態を図面に基づいて詳細に説明する。
【００１５】
図１は請求項１の一実施形態に係るバッテリーの取付構造を示し、図中、１はバッテリーボックス（図示せず）内に収容された２つのバッテリー（鉛蓄電池）、３は両バッテリー１の上面に配置されたバッテリー取付金具で、図２乃至図５に示すようにバッテリー取付金具３は、バネ性を有する１枚の帯状のリン青銅からなる板材を用いて、両端側を除き左右の立壁部５と天井部７とからなる断面略コ字状に形成されており、図１に示すようにバッテリー取付金具３は、２つのバッテリー１を合わせた幅寸法よりも長尺とされている。
【００１６】
そして、バッテリー取付金具３の両端側は、夫々、裏面側へあざ折りされて、２つのバッテリー１の上面に夫々当接可能な下方へ湾曲した２つのあざ折り片９が設けられており、本実施形態は、斯様にリン青銅からなる帯状の板材をあざ折りし、両あざ折り片９の折り返しの反発力を利用してこれらにバネ性をもたせている。
【００１７】
更に、図１及び図２、図４に示すようにバッテリー取付金具３の天井部７の両端側中央と、これに対応して両あざ折り片９に、夫々、Ｊボルト１１の挿入穴１３、１５が同軸上に設けられており、あざ折り片９側の挿入穴１５は、あざ折り片９の弾性変形を許容する楕円形状とされている。
【００１８】
そして、図１に示すように前記挿入穴１３、１５に下からＪボルト１１の上端側を挿入してナット１７を上から軽く締結した後、Ｊボルト１１下端のフック（図示せず）をバッテリーボックス下部の穴（図示せず）に引っ掛けてナット１７を締め付けると、折り返しの反発力を利用してバネ性をもたせた２つのあざ折り片９が弾性変形し乍ら、夫々のバッテリー１を上方から弾性的に押圧して、両バッテリー１をバッテリーボックスに弾性的に保持固定するようになっている。
【００１９】
本実施形態で用いるバッテリー取付金具３はこのように構成されているから、当該バッテリー取付金具３を用いてバッテリー１をバッテリーボックスに固定するには、先ず、バッテリーボックス内に２つのバッテリー１を配置し、夫々の上面にあざ折り片９を当接させてバッテリー取付金具３を両バッテリー１上に配置する。
【００２０】
尚、バッテリー取付金具３は、バッテリー１上面の長手方向と直交する方向に配置される。
【００２１】
そして、既述したようにバッテリー取付金具３のあざ折り片９と天井部７とに設けた挿入穴１５、１３に、下からＪボルト１１の上端側を挿入してこれにナット１７を上から軽く締結した後、Ｊボルト１１下端のフックをバッテリーボックス下部の穴に引っ掛けて左右のナット１７を順次締め付けていけば、２つのあざ折り片９が弾性変形し乍らバッテリー取付金具３が下方へ移動することで、両あざ折り片９が夫々のバッテリー１を上方から弾性的に押圧して、両バッテリー１をバッテリーボックスに弾性的に保持する。
【００２２】
尚、この取付作業に於て、ナット１７の締付けトルクを正確に管理して、不要な締付け力がバッテリー１に作用しないようにする必要がある。
【００２３】
そして、バッテリー１は、充電時や機器内部の温度上昇などによって上下方向及び横方向へ膨張するが、横方向の膨張に対して本実施形態はバッテリー１を横方向から拘束していないため、バッテリー１は横方向に自在に膨張する。
【００２４】
また、バッテリー１はバッテリー取付金具３によって上方からバッテリーボックスに押圧保持されているが、バッテリー取付金具３に設けた２つのあざ折り片９が両バッテリー１を上方から弾性的に押圧保持しているため、充電などでバッテリー１が上下方向に膨張すると、あざ折り片９はバッテリー１の膨張を規制することなく弾性変形し乍らバッテリー１を常時押圧、保持することとなる。
【００２５】
このように本実施形態は、バッテリー取付金具３にバネ性を有するリン青銅を使用し、あざ折り片９の折り返しの反発力を利用してバネ性をもたることでバッテリー１の膨張に対応したので、本実施形態によれば、膨張するバッテリー１を破損させることなく、長期に亘って確実にバッテリー１を弾性的に保持固定することができる利点を有する。
【００２６】
図６及び図７は請求項２及び請求項３の一実施形態に係るバッテリーの取付構造を示し、図中、１９は本実施形態に用いる第１のバッテリー取付金具、２１は第２のバッテリー取付金具を示し、本実施形態は、これら２枚のバッテリー取付金具１９、２１を用いてバッテリーボックスに２つのバッテリー１を取り付けることを特徴としている。
【００２７】
図８乃至図１０に示すように第１のバッテリー取付金具１９は、バネ性を有する１枚の帯状のリン青銅からなる板材を用いて、左右の立壁部２３と天井部２５とからなる断面略コ字状に形成されており、図７に示すようにバッテリー取付金具１９は、２つのバッテリー１を合わせた幅寸法よりも長尺とされている。
【００２８】
そして、天井部２５の中央に平面視矩形状の係合穴２７が形成され、天井部２５の両端側中央にＪボルト１１が挿入する挿入穴２９が設けられている。
【００２９】
一方、図１１乃至図１３に示すように第２のバッテリー取付金具２１は、前記バッテリー取付金具１９の裏面側から前記係合穴２７内に挿入、係合可能な断面略く字状の係合部３１と、当該係合部３１と面一に形成されてこれより長尺な左右一対の押圧片３３とで平面視略Ｈ字状に形成されており、このバッテリー取付金具２１もリン青銅で形成されている。
【００３０】
そして、図６及び図７に示すようにバッテリー取付金具１９の裏面側から前記係合穴２７内に係合部３１を挿入して両バッテリー取付金具１９，２１を重合させると、係合部３１の頂部３５を挟んだ左右の傾斜片３７、３９が、夫々、係合穴２７の対向する２つの周縁部４１、４３の下部に当接するようになっている。そして、前記押圧片３３は、前記周縁部４１、４３に沿って前後方向に延設されてバッテリー１の上面に長く圧接するようになっており、図６に示すように押圧片３３の外側端部４５は上方へ湾曲して、当該外側端部４５でバッテリー１の上面を傷付けないようになっている。
【００３１】
本実施形態に用いる第１、２のバッテリー取付金具１９、２１はこのように構成されているから、これらのバッテリー取付金具１９、２１を用いてバッテリー１をバッテリーボックスに固定するには、先ず、バッテリーボックス内に２つのバッテリー１を配置した後、図７に示すように、バッテリー１の長手方向に亘ってその上面にバッテリー取付金具２１の左右の押圧片３３を当接させて、バッテリー取付金具２１を両バッテリー１上に配置する。
【００３２】
次いで、第１のバッテリー取付金具１９の左右に設けた挿入穴２９に、下からＪボルト１１の上端側を挿入してこれにナット１７を上から軽く締結した後、Ｊボルト１１下端のフックをバッテリーボックス下部の穴に引っ掛けてバッテリー取付金具１９を下降させる。そして、バッテリー取付金具１９の係合穴２７内にバッテリー取付金具２１の係合部３１を挿入、係合させて、第１のバッテリー取付金具１９を第２のバッテリー取付金具２１の上に重ねる。
【００３３】
而して、既述したようにこの状態で、係合部３１の頂部３５を挟んだ左右の傾斜片３７、３９が、夫々、係合穴２７の対向する２つの周縁部４１、４３の下部に当接する。
【００３４】
この後、左右のナット１７を順次締め付けていけば、第１のバッテリー取付金具１９が下降するため、係合穴２７の左右の周縁部４１、４３で押圧されて傾斜片３７、３９が弾性変形し、左右の押圧片３３がバッテリー１を夫々上方から弾性的に押圧して、両バッテリー１をバッテリーボックスに弾性的に保持する。
【００３５】
尚、この取付作業に於ても、ナット１７の締付けトルクを正確に管理して、不要な締付け力がバッテリー１に作用しないようにする。
【００３６】
そして、バッテリー１は、充電時や機器内部の温度上昇などによって上下方向及び横方向に膨張するが、横方向の膨張に対して本実施形態はバッテリー１を横方向から拘束していないため、バッテリー１は横方向に自在に膨張する。
【００３７】
また、バッテリー１は２枚のバッテリー取付金具１９、２１によって上方からバッテリーボックスに押圧保持されているが、既述したように本実施形態は、第２のバッテリー取付金具２１がバッテリー１を上方から弾性的に押圧保持しているため、充電などによってバッテリー１が上下方向に膨張すると、バッテリー取付金具２１の左右の傾斜片３７、３９がバッテリー１の膨張を規制することなく弾性変形し、長尺な左右の押圧片３３が常時バッテリー１を弾性的に押圧、保持することとなる。
【００３８】
従って、本実施形態によっても、膨張するバッテリー１を破損させることなく、長期に亘って確実にバッテリー１を弾性的に保持固定することができる利点を有する。
【００３９】
而も、本実施形態によれば、第２のバッテリー取付金具２１の左右に設けた長尺な押圧片３３によって、バッテリー１の上面を均一に押圧保持することが可能であると共に、図２のバッテリー取付金具３に比し、バッテリー取付金具１９，２１を簡単に製造することができる利点を有する。
【００４０】
図１４及び図１５は請求項２及び請求項４の一実施形態に係るバッテリーの取付構造を示し、図６の実施形態と同様、本実施形態も、２枚のバッテリー取付金具４７、４９を用いてバッテリーボックスに２つのバッテリー１を取り付けることを特徴としている。
【００４１】
図１６及び図１７に示すように第１のバッテリー取付金具４７は、前記バッテリー取付金具１９と同様、バネ性を有する１枚の帯状のリン青銅からなる板材を用いて、左右の立壁部５１と天井部５３とからなる断面略コ字状に形成されており、図１５に示すようにバッテリー取付金具４７は、２つのバッテリー１を合わせた幅寸法よりも長尺とされている。
【００４２】
そして、図１６に示すように、天井部５３の中央に平面視矩形状の係合穴５５が形成されると共に、図１７に示すように当該係合部５５と連通して左右の立壁部５１に切欠き５７が設けられており、切欠き５７は、後述する第２のバッテリー取付金具４９の外形形状に沿って側面視く字状に切り欠かれている。そして、天井部５３の両端側中央にＪボルト１１が挿入する挿入穴５９が設けられている。
【００４３】
一方、図１８乃至図２０に示すように第２のバッテリー取付金具４９は、前記切欠き５７に沿ってバッテリー取付金具４７の裏面側から前記係合穴５５内に挿入、係合可能な断面略く字状に形成されている。そして、前記バッテリー取付金具２１と同様、バッテリー取付金具４９はリン青銅で形成されているが、図１８に示すようにバッテリー取付金具４９は平面視矩形状に形成され、その長手方向の寸法は前記押圧片３３と同一とされている。
【００４４】
そして、図１４び図１５に示すように前記切欠き５７に沿ってバッテリー取付金具４７の裏面側から前記係合穴５５内にバッテリー取付金具４９を挿入、係合させて、バッテリー取付金具４９中央の頂部６０を切欠き５７の中央部６１に一致させると、頂部６０を挟んだバッテリー取付金具４９の左右の傾斜片６３、６５が、夫々、係合穴５５の対向する２つの周縁部６７、６９の下部に当接するようになっている。そして、傾斜片６３、６５の外側端部７１は夫々上方へ湾曲して、当該外側端部７１でバッテリー１の上面を傷付けないようになっている。
【００４５】
本実施形態に用いる第１、２のバッテリー取付金具４７、４９はこのように構成されているから、これらのバッテリー取付金具４７、４９を用いてバッテリー１をバッテリーボックスに固定するには、先ず、バッテリーボックス内に２つのバッテリー１を配置した後、図１５に示すように、バッテリー１の長手方向とバッテリー取付金具４９の長手方向とを一致させて、両バッテリー１の上面にバッテリー取付金具４９を配置する。
【００４６】
次いで、第１のバッテリー取付金具４７の左右に設けた挿入穴５９に、下からＪボルト１１の上端側を挿入してこれにナット１７を上から軽く締結した後、Ｊボルト１１下端のフックをバッテリーボックス下部の穴に引っ掛けてバッテリー取付金具４７を下降させる。そして、バッテリー取付金具４７の切欠き５７に沿って、バッテリー取付金具４７の裏面側から係合穴５５内にバッテリー取付金具４９を挿入、係合させ、バッテリー取付金具４９中央の頂部６０を切欠き５７の中央部６１に一致させて第１のバッテリー取付金具４７を第２のバッテリー取付金具４９の上に重ねる。
【００４７】
斯様にバッテリー取付金具４９の頂部６０を切欠き５７の中央部６１に一致させることで、バッテリー取付金具４７の位置決めが容易に行える。
【００４８】
而して、既述したようにこの状態で、バッテリー取付金具４９の頂部６０を挟んだ左右の傾斜片６３、６５が、夫々、係合穴５５の対向する２つの周縁部６７、６９の下部に当接する。
【００４９】
この後、左右のナット１７を順次締め付けていけば、第１のバッテリー取付金具４７が下降するため、係合穴５５の左右の周縁部６７、６９で押圧されて傾斜片６３、６５が弾性変形し乍ら、両バッテリー１をバッテリーボックスに弾性的に保持する。
【００５０】
尚、この取付作業に於ても、ナット１７の締付けトルクを正確に管理して、不要な締付け力がバッテリー１に作用しないようにする。
【００５１】
そして、バッテリー１は、充電時や機器内部の温度上昇などによって上下方向及び横方向に膨張するが、横方向の膨張に対して本実施形態はバッテリー１を横方向から拘束していないため、バッテリー１は横方向に自在に膨張する。
【００５２】
また、バッテリー１は２枚のバッテリー取付金具４７、４９によって上方からバッテリーボックスに押圧保持されているが、既述したように本実施形態も、第２のバッテリー取付金具４９がバッテリー１を上方から弾性的に押圧保持しているため、充電などによってバッテリー１が上下方向に膨張すると、バッテリー取付金具４９の左右の傾斜片６３、６５がバッテリー１の膨張を規制することなく弾性変形して、バッテリー１を常時弾性的に押圧、保持することとなる。
【００５３】
従って、本実施形態によっても、膨張するバッテリー１を破損させることなく、長期に亘って確実にバッテリー１を弾性的に保持固定することができる利点を有する。
【００５４】
また、本実施形態によっても、平面視矩形状に形成した第２のバッテリー取付金具４９によって、バッテリー１の上面を均一に押圧保持することができると共に、図２のバッテリー取付金具３に比し、バッテリー取付金具４７，４７を簡単に製造することができる。
【００５５】
更にまた、本実施形態によれば、バッテリー１の取付作業時に、バッテリー取付金具４９の頂部６０を切欠き５７の中央部６１に一致させることで、バッテリー取付金具４７の位置決めが容易に行えるため、図６の実施形態に比し作業性が良好である。
【符号の説明】
【００５６】
１  バッテリー
３  バッテリー取付金具
５、２３、５１  立壁部
７、２５、５３  天井部
９  あざ折り片
１１  Ｊボルト
１３、１５、２９、５９  挿入穴
１７  ナット
１９、４７  第１のバッテリー取付金具
２１、４９  第２のバッテリー取付金具
２７、５５  係合穴
３１  係合部
３３  押圧片
３５、６０  頂部
３７、３９、６３、６５  傾斜片
４１、４３、６７、６９  周縁部
４５、７１  外側端部
５７  切欠き
６１  切欠きの中央部
【図１】
2011168088.tif 000003
【図２】
2011168088.tif 000004
【図３】
2011168088.tif 000005
【図４】
2011168088.tif 000006
【図５】
2011168088.tif 000007
【図６】
2011168088.tif 000008
【図７】
2011168088.tif 000009
【図８】
2011168088.tif 000010
【図９】
2011168088.tif 000011
【図１０】
2011168088.tif 000012
【図１１】
2011168088.tif 000013
【図１２】
2011168088.tif 000014
【図１３】
2011168088.tif 000015
【図１４】
2011168088.tif 000016
【図１５】
2011168088.tif 000017
【図１６】
2011168088.tif 000018
【図１７】
2011168088.tif 000019
【図１８】
2011168088.tif 000020
【図１９】
2011168088.tif 000021
【図２０】
2011168088.tif 000022